(57)【要約】【課題】非接触媒体を受け付けて案内媒体を放出し、この案内媒体の渡し違いを防止するゲート装置を提供する。【解決手段】ゲート装置に、ゲートの通過に関する通過情報が記録された非接触媒体から前記通過情報を非接触で読み取る非接触読取手段と、読み取った前記通過情報に基づいて利用者への案内情報を記録した案内媒体を放出口へ搬送する搬送手段と、前記案内媒体を前記放出口で抜き取り可能に保持する保持手段と、前記保持手段による前記案内媒体の保持状態を切り替える切替手段とを備えた。【選択図】図４
2007249337.tif 000002
【特許請求の範囲】
【請求項１】
ゲートの通過に関する通過情報が記録された非接触媒体から前記通過情報を非接触で読み取る非接触読取手段と、
読み取った前記通過情報に基づいて利用者への案内情報を記録した案内媒体を放出口へ搬送する搬送手段と、
前記案内媒体を前記放出口で抜き取り可能に保持する保持手段と、
前記保持手段による前記案内媒体の保持状態を切り替える切替手段とを備えた
ゲート装置。
【請求項２】
ゲートを通過する利用者と前記放出口の案内媒体とが正しく対応しているか否か判定する整合性判定手段を備え、
前記切替手段を、該整合性判定手段による判定結果に基づいて切り替えを実行する構成にした
請求項１記載のゲート装置。
【請求項３】
前記非接触読取手段を、読取方式の異なる複数種類の非接触媒体から前記通過情報を非接触で読み取る構成とし、
前記非接触媒体の種類を判定する媒体種類判定手段を備え、
前記切替手段を、前記媒体種類判定手段による判定結果に基づいて切り替えを実行する構成にした
請求項１記載のゲート装置。
【請求項４】
前記切替手段を、前記保持手段による保持力を切り替える保持力切替手段で構成した
請求項１、２または３記載のゲート装置。
【請求項５】
前記保持手段を、前記案内媒体を挟持して保持する挟持手段で構成した
請求項１から４のいずれか１つに記載のゲート装置。
【請求項６】
連続紙に幅方向の切れ目を部分的に入れることができ該切れ目より先端側部分を前記案内媒体とする切断手段を備え、
前記切替手段を、前記切断手段を切替制御して切れ目の入っている切断部分と切れ目の入っていない連続部分との割合を切り替える切断割合切替手段で構成した
請求項１、２または３記載のゲート装置。
【発明の詳細な説明】
【技術分野】
【０００１】
この発明は、例えば空港の出発ゲートなどのゲートに備えられ、非接触ＩＣや二次元バーコードといった方式による非接触媒体を読み取り、案内媒体を放出するようなゲート装置に関する。
【背景技術】
【０００２】
従来、航空座席の予約を受け付けておき、挿入された個人情報カードに基づいて座席券を排出する改札装置が提案されている（特許文献１参照）。
【０００３】
この改札装置は、挿入された個人情報カードから磁気データで記録された予約情報を読み出して上位装置に送信する。上位装置は、予約情報を照会し、ＯＫなら座席券発券情報を編集して改札装置に出力する。改札装置は、この座席券発券情報に基づいて、座席情報を個人情報カードまたは座席用紙に印字して排出する。
【０００４】
このような改札装置を設置する空港では、利用者（旅客）が改札装置に個人情報カード等の媒体を挿入すると、改札装置から放出された媒体を係員が抜き取って利用者に手渡すという運用がなされている。
【０００５】
一方、近年では、磁気データを記録する媒体の代わりに、非接触ＩＣや二次元バーコードといった方式により非接触で情報が読み取れる非接触媒体が利用されている。この非接触媒体は、改札装置に取り込まれることなく非接触で情報が読み取られる。
【０００６】
このため、非接触媒体を改札装置に読み取らせた利用者と排出された媒体との対応づけが係員に解りづらく、係員による媒体の渡し違いが発生するという問題がある。
【０００７】
詳述すると、例えば非接触媒体を正しくかざしていなかった利用者や、非接触媒体が無効であった利用者には、予約情報を紹介して座席券発券情報を取得することができないので、改札装置から媒体が放出されない。しかし、次の利用者が非接触媒体を正しくかざすと、この利用者に対する媒体が改札装置から放出されるので、これを係員が前の利用者に渡してしまうことがある。また、媒体の渡し忘れにより、前の利用者に渡すべき媒体を次の利用者に渡してしまうことがある。そして、一度渡し違いが発生すると、連続して通過する利用者に次々と違う媒体を渡してしまうことになる。このような状態が生じると、後に収拾を付けることが非常に困難になり、場合によっては航空機の出発時間を大幅に遅らせてしまうという問題がある。
【０００８】
しかし、上述した改札装置は、このような渡し違いを効果的に防止できるものではなく、特に非接触媒体については全く考慮されていなかった。
【０００９】
【特許文献１】特開平１０−１４９４６２号公報
【発明の開示】
【発明が解決しようとする課題】
【００１０】
この発明は、上述の問題に鑑み、非接触媒体を受け付けて案内媒体を放出し、この案内媒体の渡し違いを防止するゲート装置を提供することを目的とする。
【課題を解決するための手段】
【００１１】
この発明は、ゲートの通過に関する通過情報が記録された非接触媒体から前記通過情報を非接触で読み取る非接触読取手段と、読み取った前記通過情報に基づいて利用者への案内情報を記録した案内媒体を放出口へ搬送する搬送手段と、前記案内媒体を前記放出口で抜き取り可能に保持する保持手段と、前記保持手段による前記案内媒体の保持状態を切り替える切替手段とを備えたゲート装置であることを特徴とする。
【００１２】
前記非接触媒体は、非接触ＩＣ媒体、バーコード媒体、またはこれらの両方など、非接触で情報を読み取り可能な媒体で構成することができる。
【００１３】
前記通過情報は、出発地と到着地に関する情報など、ゲートの通過に関する情報で構成することができる。
【００１４】
前記非接触読取手段は、非接触ＩＣ媒体リーダ、バーコードリーダ、またはこれらの両方など、非接触で情報を読み取る手段で構成することができる。
【００１５】
前記案内情報は、座席情報、搭乗便情報、到着地情報、またはこれらの複数など、案内に関する情報で構成することができる。  
前記案内媒体は、紙などの媒体で構成することができる。
【００１６】
この発明により、保持手段により保持した案内媒体を係員に抜き取らせる際に、保持状態の違いを係員に認識させることができる。
【００１７】
またこの発明の態様として、ゲートを通過する利用者と前記放出口の案内媒体とが正しく対応しているか否か判定する整合性判定手段を備え、前記切替手段を、該整合性判定手段による判定結果に基づいて切り替えを実行する構成にすることができる。
【００１８】
前記整合性判定手段は、利用者の通過を検知する通過センサを備えて該通過センサで検知した利用者の通過人数と放出した案内媒体の枚数が一致するか否か判定する手段など、ゲートを通過する利用者と前記放出口の案内媒体とが正しく対応しているか否か判定する手段で構成することができる。
【００１９】
この態様により、整合性が取れなくなった段階で保持手段による保持状態を切り替えることができ、案内媒体を抜き取る感触の違いにより係員に整合性が取れなくなったことを認識させることができる。
【００２０】
またこの発明の態様として、前記非接触読取手段を、読取方式の異なる複数種類の非接触媒体から前記通過情報を非接触で読み取る構成とし、前記非接触媒体の種類を判定する媒体種類判定手段を備え、前記切替手段を、前記媒体種類判定手段による判定結果に基づいて切り替えを実行する構成にすることができる。
【００２１】
これにより、係員が目視確認した利用者の非接触媒体の種類と案内媒体を抜き取る感触とが正しく一致するか否か係員に判断させることができ、係員による案内媒体の渡し違いを防止することができる。
【００２２】
またこの発明の態様として、前記切替手段を、前記保持手段による保持力を切り替える保持力切替手段で構成することができる。  
前記保持力切替手段は、案内媒体に接触する接触部と、該接触部を付勢するバネなどの付勢手段と、該付勢手段による付勢力を変化させるソレノイドなどの駆動手段とで構成するなど、保持力を切り替える手段で構成することができる。
【００２３】
この態様により、案内媒体を抜き取る際の重みの違いを係員に認識させることができ、係員による案内媒体の渡し違いを防止することができる。
【００２４】
またこの発明の態様として、前記保持手段を、前記案内媒体を挟持して保持する挟持手段で構成することができる。  
この態様により、案内媒体を容易に保持することができる。
【００２５】
またこの発明の態様として、連続紙に幅方向の切れ目を部分的に入れることができ該切れ目より先端側部分を前記案内媒体とする切断手段を備え、前記切替手段を、前記切断手段を切替制御して切れ目の入っている切断部分と切れ目の入っていない連続部分との割合を切り替える切断割合切替手段で構成することができる。
【００２６】
前記切断手段は、連続紙を繰出方向に対して直角あるいは斜めに切断するカッター等の手段で構成することができる。  
前記切断割合切替手段は、切断部分と連続部分との両方が存在する状態でその割合を切り替える制御、または、切断部分と連続部分の両方が存在する状態と連続部分が存在しない状態（切断部分と連続部分が１０対０の割合の状態）とに切り替える制御など、適宜の制御を行う構成とすることができる。
【００２７】
この態様により、保持手段による案内媒体の保持状態を、保持している案内媒体が連続紙本体と部分的に繋がっている状態、保持している案内媒体が連続紙本体と分離されている状態など、適宜の状態に切り替えることができる。
【００２８】
これにより、連続紙本体から案内媒体を分離する際に連続部分が破れる感触による感触の違いを係員に認識させることができ、係員による案内媒体の渡し違いを防止することができる。
【発明の効果】
【００２９】
この発明により、非接触媒体を受け付けて案内媒体を放出し、この案内媒体の渡し違いを防止するゲート装置を提供することができる。
【発明を実施するための最良の形態】
【００３０】
この発明の一実施形態を以下図面と共に説明する。
【実施例１】
【００３１】
図１はゲートに設けられた自動改札機１の正面図を示し、図２は自動改札機１の平面図を示す。  
自動改札機１は、普通人の腹部程度の高さで、利用者の通過方向となる左右方向に長い略直方体形状に形成されている。自動改札機１の正面の下から３／４程度の高さ位置には、左右方向に等間隔に並べられた複数のセンサで構成される人間検知センサ群５が設けられている。
【００３２】
自動改札機１の右側（進入側）の上面部には、二次元バーコードリーダ３および非接触ＩＣリーダライタ４が設けられている。二次元バーコードリーダ３は、二次元バーコードをスキャニングして画像認識する装置であり、図２に示すようにスキャニングを行う二次元バーコード読取部２が二次元バーコードリーダ３の上面中央に設けられている。非接触ＩＣリーダライタ４は、二次元バーコードリーダ３の周囲を取り巻くように配置されたアンテナによって構成されている。
【００３３】
自動改札機１の上面中央には、青色表示ランプ６と赤色表示ランプ７とが自動改札機１の幅方向（図２の上下方向）に並設されている。青色表示ランプ６は、通過可否の判定がＯＫの場合に点灯する青色のランプであり、赤色表示ランプ７は、通過可否の判定がＮＧの場合に点灯する赤色のランプである。
【００３４】
自動改札機１の左側（出口側）の上部には、発券機８が設けられており、自動改札機１の左側上面に該発券機８の券放出部８ａが設けられている。
【００３５】
図３は、発券機８の内部を正面から見た構成図を示す。  
発券機８は、フレーム９内の左下に設けられたロール紙ホルダ１１にサーマルロール紙１０が取り付けられている。このサーマルロール紙１０は、ロール状に巻かれた連続紙であり、先端が下方から右へ伸びて右横のガイドローラ１２でガイドされて上方へ曲げられ、搬送ローラ１３，１４，２３，２９を介してキャッチングローラ３７まで真っ直ぐ通されている。
【００３６】
ガイドローラ１２からキャッチングローラ３７までの構成について詳述すると、ガイドローラ１２の後段には、サーマルロール紙１０がロール紙ホルダ１１にセットされているか否か検知するロール紙セット検知センサ４４が設けられている。
【００３７】
ロール紙セット検知センサ４４の後段には、搬送ローラ１３，１４が設けられており、該搬送ローラ１３，１４の近傍にプーリ１６を有するモータ１７が設けられている。この搬送ローラ１３，１４と、モータ１７により回転するプーリ１６とには、ベルト１５が張架されている。従って、モータ１７が回転するとプーリ１６およびベルト１５を介して搬送ローラ１３，１４も回転する。
【００３８】
前段側の搬送ローラ１３には、該搬送ローラ１３側へバネ２０により付勢されるタッチローラ１８が対向配置されている。また、後段側の搬送ローラ１４には、該搬送ローラ１４側へバネ２１により付勢されるタッチローラ１９が対向配置されている。これらのタッチローラ１８，１９は、自由に回転するローラである。これにより、搬送ローラ１３とタッチローラ１８、および搬送ローラ１４とタッチローラ１９でサーマルロール紙１０をそれぞれ挟んで回転し、サーマルロール紙１０を搬送することができる。
【００３９】
搬送ローラ１４の後段には、ロータリカッタ２２が設けられている。このロータリカッタ２２は、サーマルロール紙１０を幅方向に完全に切断し、この切断部より先端側部分を券４７（図４参照）として分離するものである。
【００４０】
ロータリカッタ２２の後段には、搬送ローラ２３、プラテンローラ２６、および搬送ローラ２９が設けられている。この搬送ローラ２３，２９およびプラテンローラ２６の近傍には、モータ３５と、該モータ３５により回転するプーリ３４と、テンションプーリ３２とが設けられている。搬送ローラ２３，２９、プラテンローラ２６、テンションプーリ３２、およびプーリ３４には、ベルト３３が張架されている。従って、ベルト３３はテンションプーリ３２によってテンションが係った状態に維持される。モータ３５の回転力は、まずプーリ３４に伝わり、さらにベルト３３を介して搬送ローラ２３，２９、プラテンローラ２６に伝わってこれらが全て回転する。
【００４１】
前段の搬送ローラ２３には、該搬送ローラ２３側へバネ２５により付勢されるタッチローラ２４が対向配置されている。このタッチローラ２４は、自由に回転するローラである。これにより、サーマルロール紙１０から切断された券４７を、搬送ローラ２３とタッチローラ２４で挟んで搬送することができる。
【００４２】
中段のプラテンローラ２６には、該プラテンローラ２６側へバネ２８で付勢されるサーマルヘッド２７が対向配置されている。このサーマルヘッド２７は、座席情報などの案内情報を券４７に印字するものであり、情報を書き込む書込手段として機能する。
【００４３】
このサーマルヘッド２７の前段で、前記搬送ローラ２３の後段には、印字位置決めセンサ４５が設けられている。この印字位置決めセンサ４５により、サーマルロール紙１０から切断された券４７の正しい位置に、サーマルヘッド２７で文字を印字することができる。
【００４４】
後段の搬送ローラ２９には、該搬送ローラ２９側へバネ３１で付勢されタッチローラ３０が対向配置されている。このタッチローラ３０は、自由に回転するローラである。これにより、券４７を、搬送ローラ２９とタッチローラ３０とで挟んで搬送することができる。
【００４５】
搬送ローラ２９の後段には、券放出検知センサ４６が設けられている。この券放出検知センサ４６により、券４７を放出したか否か、及び券４７が抜き取られたか否かを検知できる。
【００４６】
券放出検知センサ４６の後段には、キャッチングローラ３７が設けられており、このキャッチングローラ３７と対向して、キャッチングローラ３７が当接するガイド３６が設けられている。
【００４７】
前記キャッチングローラ３７は、逆Ｌ字型のレバー３８の先端に設けられている。該レバー３８は、キャッチングローラ３７がガイド３６に近づく方向と遠ざかる方向へ回転可能に略中央部でシャフト３９により軸支されている。レバー３８のキャッチングローラ３７と逆の端部には、バネ４０の一端が連結されている。バネ４０の他端は、ソレノイド４１のプランジャ４２の先端部近傍に接続されている。プランジャ４２の先端側には、プランジャ４２がソレノイド４１から突出する距離を一定距離までに規制するストッパ４３が設けられている。
【００４８】
これにより、図４（Ａ）の拡大図に示すように、キャッチングローラ３７はバネ４０の付勢力（この実施例では引っ張る力）によって常時ガイド３６へ向けて付勢される。従って、キャッチングローラ３７とガイド３６とで券４７をある程度の押圧力で挟持することができる。
【００４９】
また、図４（Ｂ）の拡大図に示すように、ソレノイド４１をＯＮにしてプランジャ４２を後退させると、バネ４０が引っ張られ、該バネ４０による付勢力が強くなってキャッチングローラ３７とガイド３６とで券４７を強い押圧力で挟持することができる。
【００５０】
図５は、自動改札機１の構成を示すブロック図である。  
自動改札機１は、ＣＰＵ５１と、ＣＰＵ５１に接続されたインタフェース５２と、インタフェース５２に接続された二次元バーコードリーダ３、非接触ＩＣリーダライタ４、人間検知センサ群５、青色表示ランプ６、赤色表示ランプ７、および発券機８とにより構成されている。
【００５１】
二次元バーコードリーダ３は、二次元バーコード読取部２（図２参照）によりスキャニングした二次元バーコードから画像処理によって情報を取得し、取得した情報をＣＰＵ５１に送信する。この情報には、航空会社の利用者会員番号、予約番号、出発地情報、到着地情報、および利用日時情報といった通過可否に関する通過情報が含まれている。
【００５２】
非接触ＩＣリーダライタ４は、アンテナから電磁波を照射し、磁界を用いて非接触ＩＣ媒体と情報の送受信を行い、非接触ＩＣ媒体から取得した情報をＣＰＵ５１に送信する。この情報には、航空会社の利用者会員番号、予約番号、出発地情報、到着地情報、および利用日時情報といった通過可否に関する通過情報が含まれている。
【００５３】
青色表示ランプ６は、ＣＰＵ５１の点灯／消灯制御により青色の光を発する。  
赤色表示ランプ７は、ＣＰＵ５１の点灯／消灯制御により赤色の光を発する。  
発券機８は、ＣＰＵ５１の制御に従って、券４７を発券する。
【００５４】
図６は、発券機８の構成を示すブロック図である。  
発券機８は、ＣＰＵ５５と、該ＣＰＵ５５に接続されたインタフェース５６と、該インタフェース５６に接続されたモータ１７、ロータリカッタ２２、サーマルヘッド２７、モータ３５、ソレノイド４１、ロール紙セット検知センサ４４、印字位置決めセンサ４５、および券放出検知センサ４６で構成されている。
【００５５】
モータ１７，３５は、ＣＰＵ５５の制御に従って回転および停止する。  
ロータリカッタ２２は、ＣＰＵ５５の制御に従ってサーマルロール紙１０の切断を実行する。
【００５６】
サーマルヘッド２７は、ＣＰＵ５５の制御に従って座席情報などの各種情報を、サーマルロール紙１０から切断された券４７に印字する。
【００５７】
ソレノイド４１は、ＣＰＵ５５のＯＮ／ＯＦＦ制御に従ってプランジャ４２の後退および突出を実行する。
【００５８】
ロール紙セット検知センサ４４は、サーマルロール紙１０の有無を検知して検知信号をＣＰＵ５５に送信する。
【００５９】
印字位置決めセンサ４５は、搬送されてくる券４７の先端を検知して印字位置を決定するためのセンサであり、検知した検知信号をＣＰＵ５５に送信する。
【００６０】
券放出検知センサ４６は、券４７が放出されたか否かと、券４７が抜き取られたか否かを検知するセンサであり、検知した検知信号をＣＰＵ５５に送信する。
【００６１】
図７は、自動改札機１のＣＰＵ５１が実行する動作のフローチャートを示す。  
ＣＰＵ５１は、二次元バーコードリーダ３または非接触ＩＣリーダライタ４で利用者の保有する非接触媒体（二次元バーコード媒体または非接触ＩＣ媒体）から情報を読み取るまで待機する（ステップＳ１：Ｎｏ）。
【００６２】
非接触媒体から情報を読み取ると（ステップＳ１：Ｙｅｓ）、ＣＰＵ５１は、通過可否の判定を行い、判定ＮＧであれば（ステップＳ２：Ｎｏ）、利用者の通過を阻止する（ステップＳ３）。この通過の阻止は、赤色表示ランプ７を点灯することで、係員の応対によって実現する。なお、駆動手段により開閉駆動される扉を設けて該扉を閉じることで通過を阻止する構成にしてもよい。
【００６３】
通過可否の判定で判定ＯＫであれば（ステップＳ２：Ｙｅｓ）、ＣＰＵ５１は、発券機８による発券を実行し（ステップＳ４）、券放出検知センサ４６により券４７の発券枚数をカウントする（ステップＳ５）。
【００６４】
ＣＰＵ５１は、人間検知センサ群５で検知した利用者の通過人数と、券放出検知センサ４６により検知した発券枚数とが一致すれば（ステップＳ６：Ｙｅｓ）ステップＳ８に処理を進める。このときソレノイド４１はＯＦＦ状態であり、ガイド３６とキャッチングローラ３７とによる券４７の挟持力が弱い状態である。このため、ガイド３６とキャッチングローラ３７とは、券４７を係員が軽い力で抜き取れる状態（摩擦などによる抜き取り抵抗力が弱い状態）で挟持している。
【００６５】
一致しなければ（ステップＳ６：Ｎｏ）、ソレノイド４１をＯＮにしてガイド３６とキャッチングローラ３７とによる券４７の挟持力を強くし、係員による券４７の抜き取りに強い力が必要な状態（摩擦などによる抜き取り抵抗力が強い状態）にする（ステップＳ７）。これにより、係員は券４７を抜き取る際に通常より重く感じ、異常があったことを認識することができる。従って、券４７の渡し違いにすぐに気づき、その場で訂正して直すことができる。
【００６６】
ＣＰＵ５１は、人間検知センサ群５のうち進入検知センサとしても機能する進入側のセンサにより、次の利用者がいるか否かを検知し、次の利用者がいれば（ステップＳ８：Ｙｅｓ）、ステップＳ１に処理を戻して繰り返す。
【００６７】
次の利用者がいなければ（ステップＳ８：Ｎｏ）、ＣＰＵ５１は待機状態に移行し（ステップＳ９）、処理を終了する。
【００６８】
以上の構成および動作により、通過人数と発券枚数が一致している間、つまり券４７の渡し違いが発生していないと考えられる間は、券４７の放出時に、ガイド３６およびキャッチングローラ３７が通常の挟持力で券４７を挟持することができる。そして、通過人数と発券枚数が不一致になって券４７の渡し違いが発生したと考えられる場合に、すぐに挟持力を強くして、券４７を抜き取りづらくさせることができる。これにより、係員は券４７の抜き取りが重くなったことを感触で認識でき、異常の発生を認識することができる。
【００６９】
このように係員は手の感触で異常の発生を認識できるため、券放出部８ａや青色表示ランプ６や赤色表示ランプ７等を見ていなくても、券４７の渡し違いを防止できる。従って、通路Ｌ（図２参照）を矢印Ｙ方向に通過する利用者に対してきめ細かい対応をしつつ券４７の渡し違いを防止することができる。
【００７０】
また、青色表示ランプ６や赤色表示ランプ７、あるいは警告音などで係員の視覚や聴覚に報知する方法であれば、この報知を自動改札機１の通過可否の判定で通過不可と判定された報知と間違う可能性があるが、通過可否の報知とは全く異なる感覚器官である触覚に報知することで、このような間違いを防止することができる。
【００７１】
なお、ステップＳ７でＯＮにしたソレノイド４１は、券放出検知センサ４６で券４７の抜き取りを検知したタイミングでＯＦＦにする、あるいはステップＳ９でＯＦＦにするなど、券４７抜き取り後の適宜のタイミングでＯＦＦにすると良い。
【実施例２】
【００７２】
実施例２として、券４７（図４参照）を抜き取る感触をロータリカッタ２２（図３参照）のカット量で切り替える場合の自動改札機１について説明する。  
この場合、実施例１の自動改札機１におけるソレノイド４１が不要となる。
【００７３】
また、ロータリカッタ２２は、サーマルロール紙１０から券４７を完全に分離する完全切断（フルカット）と、部分的に切断する部分切断（パーシャルカット）とを、ＣＰＵ５５の切り替え制御に従って実行する。
【００７４】
完全切断は、図８（Ａ）の拡大図に示すように、サーマルロール紙１０に幅方向に一直線の切れ目６１を入れる切断である。これにより、切れ目６１より先端側部分を券４７として完全に分離する。
【００７５】
部分切断は、図８（Ｂ）の拡大図に示すように、サーマルロール紙１０の幅方向一端（この実施例では右端）に連続部６３を残してその横から他端（この実施例では左端）まで一直線の切れ目６２を入れる切断である。これにより、切れ目６２より先端側部分で構成される券４７は、サーマルロール紙１０に繋がっている状態となる。
【００７６】
その他の構成は、実施例１の自動改札機１と同一であるので、詳細な説明を省略する。
【００７７】
このように構成された実施例２の自動改札機１は、図７と共に説明したステップＳ７で、上述した部分切断を実行する構成にすればよい。また、ステップＳ６で通過人数と発券枚数が同一であった場合は、上述した完全切断を実行してステップＳ８に処理を進める構成にすると良い。
【００７８】
その他の動作は、実施例１の自動改札機１と同一であるので、詳細な説明を省略する。
【００７９】
以上の構成および動作により、係員は券４７を抜き取る際の感触の違い（連続部６３が破れる感触があるか否かの違い）によって異常の発生を認識でき、実施例１と同様の効果を得ることができる。
【００８０】
なお、ロータリカッタ２２の代わりにスライドカッタを用いてもよい。この場合は、券４７の幅方向中央に連続部６３を残し、その両横に一直線の切れ目６２を形成するなど、任意の切れ目６２と連続部６３を形成することができる。
【実施例３】
【００８１】
実施例３として、係員が券４７を抜き取る感触を、通過する利用者が用いる非接触媒体の種類によって切り替える自動改札機１について説明する。  
この場合の自動改札機１の構成は、上述した実施例１と同一であるので、その詳細な説明を省略する。
【００８２】
図９は、実施例３の自動改札機１のＣＰＵ５１が実行する動作のフローチャートを示す。  
ＣＰＵ５１は、二次元バーコードリーダ３または非接触ＩＣリーダライタ４で利用者の保有する非接触媒体（二次元バーコード媒体または非接触ＩＣ媒体）から情報を読み取るまで待機する（ステップＳ２１：Ｎｏ）。
【００８３】
非接触媒体から情報を読み取ると（ステップＳ２１：Ｙｅｓ）、ＣＰＵ５１は、通過可否の判定を行い、判定ＮＧであれば（ステップＳ２２：Ｎｏ）、利用者の通過を阻止する（ステップＳ２３）。
【００８４】
通過可否の判定で判定ＯＫであれば（ステップＳ２２：Ｙｅｓ）、ＣＰＵ５１は、発券機８による発券を実行し（ステップＳ２４）、読み取った媒体が二次元バーコードか非接触ＩＣ媒体かを判定する（ステップＳ２５）。
【００８５】
ＣＰＵ５１は、読み取った非接触媒体が二次元バーコードであれば（ステップＳ２５：Ｙｅｓ）、ソレノイド４１をＯＮにしてガイド３６とキャッチングローラ３７とによる券４７の挟持力を強くする（ステップＳ２６）。これにより、係員は券４７を抜き取る際に通常より重く感じ、二次元バーコードに対応する券４７であることを認識できる。従って、目視確認した利用者の非接触媒体が非接触ＩＣ媒体であれば、対応が一致しておらず券４７の渡し違いになることにすぐに気付くことができる。
【００８６】
前記ステップＳ２５で二次元バーコードでなければ（ステップＳ２５：Ｎｏ）、ソレノイド４１をＯＦＦのままにしてガイド３６とキャッチングローラ３７とによる券４７の挟持力を弱くしておく。これにより、係員は券４７を抜き取る際に通常の重さに感じ、非接触ＩＣ媒体に対応する券４７であることを認識できる。従って、目視確認した利用者の非接触媒体が二次元バーコードであれば、対応が一致しておらず券４７の渡し違いになることにすぐに気付くことができる。
【００８７】
ＣＰＵ５１は、人間検知センサ群５のうち進入検知センサとしても機能する進入側のセンサにより、次の利用者がいるか否かを検知し、次の利用者がいれば（ステップＳ２７：Ｙｅｓ）、ステップＳ２１に処理を戻して繰り返す。
【００８８】
次の利用者がいなければ（ステップＳ２７：Ｎｏ）、ＣＰＵ５１は待機状態に移行し（ステップＳ２８）、処理を終了する。
【００８９】
以上の構成および動作により、読み取った非接触媒体の種類に対応して券４７を抜き取る感触を異ならせることができる。これにより、係員は、通過する利用者が二次元バーコードリーダ３や非接触ＩＣリーダライタ４にかざした非接触媒体が二次元バーコードと非接触ＩＣ媒体とのいずれの種類かを目視確認し、確認した種類に対応する重さで券４７を抜き取ることができれば渡し間違いではなく、そうでなければ渡し間違いであることを認識できる。
【００９０】
従って、実施例１と同様に、係員は手の感触で認識できるため、券放出部８ａや青色表示ランプ６や赤色表示ランプ７等を見ていなくても、券４７の渡し違いを防止できる。従って、係員は、利用者に対してきめ細かい対応をしつつ、券４７の渡し違いを防止できる。
【００９１】
なお、以上の各実施例では、券４７を挟持する押圧力の違いや、完全切断か部分切断かの違いにより券４７を抜き取る感触を変化させたが、券４７のうち、ガイド３６とキャッチングローラ３７より発券機８の内側に残っている部分の長さを異ならせ、この長さの違いによって感触を変化させてもよい。
【００９２】
この場合、ガイド３６とキャッチングローラ３７との押圧力によって券４７の抜き取り中に一定の力（摩擦力などの抜き取り抵抗力）がかかっている長さが変わる。このため、この一定の力がかかっている長さが長いか短いかにより、係員が異常などを認識できる。
【００９３】
また、券４７を抜き取る感触の違いは、２段階に限らず、複数段階に構成してもよい。この場合、多種類の情報を係員に感触で伝えることができる。
【００９４】
この発明の構成と、上述の実施形態との対応において、
この発明のゲート装置は、実施形態の自動改札機１に対応し、
以下同様に、
非接触読取手段は、二次元バーコードリーダ３および非接触ＩＣリーダライタ４に対応し、
放出口は、券放出部８ａに対応し、
連続紙は、サーマルロール紙１０に対応し、
切断手段は、ロータリカッタ２２に対応し、
搬送手段は、搬送ローラ２３，２９に対応し、
保持手段および挟持手段は、ガイド３６、キャッチングローラ３７、レバー３８、シャフト３９、およびバネ４０に対応し、
切替手段は、ソレノイド４１またはロータリカッタ２２に対応し、
保持力切替手段は、ソレノイド４１に対応し、
案内媒体は、券４７に対応し、
切断割合切替手段は、ＣＰＵ５５に対応し、
切断部分は、切れ目６１，６２に対応し、
連続部分は、連続部６３に対応し、
整合性判定手段は、ステップＳ６を実行するＣＰＵ５１に対応し、
媒体種類判定手段は、ステップＳ２５を実行するＣＰＵ５１に対応し、
非接触媒体は、非接触ＩＣ媒体と二次元バーコード媒体に対応するも、
この発明は、上述の実施形態の構成のみに限定されるものではなく、多くの実施の形態を得ることができる。
【図面の簡単な説明】
【００９５】
【図１】自動改札機の正面図。
【図２】自動改札機の平面図。
【図３】発券機の内部を正面から見た構成図。
【図４】発券機の一部拡大構成図。
【図５】自動改札機の構成を示すブロック図。
【図６】発券機の構成を示すブロック図。
【図７】自動改札機のＣＰＵが実行する動作のフローチャート。
【図８】実施例２の券の切れ目の説明図。
【図９】実施例３の自動改札機のＣＰＵが実行する動作のフローチャート。
【符号の説明】
【００９６】
１…自動改札機
３…二次元バーコードリーダ
４…非接触ＩＣリーダライタ
８ａ…券放出部
１０…サーマルロール紙
２２…ロータリカッタ
２３，２９…搬送ローラ
３６…ガイド
３７…キャッチングローラ
３８…レバー
３９…シャフト
４０…バネ
４１…ソレノイド
４７…券
５１…ＣＰＵ
５５…ＣＰＵ
６１，６２…切れ目
６３…連続部
【図１】
2007249337.tif 000003
【図２】
2007249337.tif 000004
【図３】
2007249337.tif 000005
【図４】
2007249337.tif 000006
【図５】
2007249337.tif 000007
【図６】
2007249337.tif 000008
【図７】
2007249337.tif 000009
【図８】
2007249337.tif 000010
【図９】
2007249337.tif 000011